(57)【要約】  化粧品の色選択ツール（１００）は、少なくとも１つの単色の黒色範囲（１１０）と複数の別個の見本領域（１２０）とを有し、それぞれの見本領域は外周を有する単一の化粧品の色を備え、見本領域（１２０）のそれぞれの外周の少なくとも一部分は単色の黒色範囲と接する。
2010523254.tif 000002
【特許請求の範囲】
【請求項１】
少なくとも１つの単色の黒色範囲（１１０）と、複数の別個の見本領域（１２０）であって、当該見本の外周を有する単一の化粧品の色をそれぞれが備える見本領域（１２０）とを有し、前記見本領域（１２０）のそれぞれの前記見本外周の少なくとも一部分が前記単色の黒色範囲（１１０）と接する化粧品の色選択ツール（１００）。
【請求項２】
前記ツール（１００）が黒色単色範囲（１１０）を有する材料のストリップを備え、該ストリップがストリップ外周を有し、前記複数の別個の見本領域（１２０）がストリップ上に不規則ではないパターンで配置され、それぞれの見本領域（１２０）の見本外周にストリップ外周と一致する部分がない、請求項１に記載の化粧品の色選択ツール（１００）。
【請求項３】
前記見本外周の前記単色の黒色範囲（１１０）と接する部分が、複数の別個の見本領域（１２０）のそれぞれの見本外周の少なくとも２０％、好ましくは少なくとも４０％、より好ましくは少なくとも６０％である、請求項１又は２に記載の化粧品の色選択ツール（１００）。
【請求項４】
前記複数の別個の見本領域（１２０）のそれぞれが、前記単色の黒色範囲（１１０）によって包囲されている、請求項１〜３のいずれか一項に記載の化粧品の色選択ツール。
【請求項５】
前記色選択ツール（１００）が、透明な部分（１３０）を備える、請求項１〜４のいずれか一項に記載の化粧品の色選択ツール（１００）。
【請求項６】
前記別個の見本領域（１２０）が、同じ表面積及び形状を有する、請求項１〜５のいずれか一項に記載の化粧品の色選択ツール（１００）。
【請求項７】
前記別個の見本領域（１２０）が、不規則ではないパターンで、かつ最も明るい色から最も暗い色へと連続して配置される、請求項１〜６のいずれか一項に記載の化粧品の色選択ツール（１００）。
【請求項８】
前記別個の見本領域（１２０）の少なくとも一部が、化粧品を備える、請求項１〜７のいずれか一項に記載の化粧品の色選択ツール（１００）。
【請求項９】
前記別個の見本領域（１２０）のそれぞれが、識別指標を備える、請求項１〜８のいずれか一項に記載の化粧品の色選択ツール（１００）。
【請求項１０】
前記ツール（１００）が、人の顔又は身体の部分の外形に少なくとも部分的に一致するように設計された可撓性ストリップを備える、請求項１〜９のいずれか一項に記載の化粧品の色選択ツール（１００）。
【請求項１１】
消費者が正しい化粧品の色を選択することを支援するための方法であって、少なくとも１つの単色の黒色範囲（１１０）と、見本外周を有する単一の化粧品の色をそれぞれが備える複数の別個の見本領域（１２０）と、を有する化粧品の色選択ツール（１００）を消費者に与える工程を含み、前記見本領域（１２０）のそれぞれの見本外周の少なくとも一部分は単色の黒色範囲（１１０）と接する、方法。
【請求項１２】
消費者に化粧品の色選択ツール（１００）の複数の別個の見本領域（１２０）を、消費者の皮膚、毛髪、爪、目、及び唇からなる群から選択されるターゲット範囲と比較させる工程を更に含む、請求項１８に記載の方法。
【請求項１３】
消費者に化粧品の色選択ツール（１００）を与える前記工程において、化粧品の色選択ツール（１００）がミラーを備える、請求項１８又は１９に記載の方法。
【発明の詳細な説明】
【技術分野】
【０００１】
本発明はカラー化粧品に関し、より詳細には、スキンケア製品、ネイル製品、ヘア製品、目の化粧品、及びリップ製品などのカラー化粧品の正しい色を選択するためのカラー化粧の用途で使用することが可能なツール及び用具に関する。
【背景技術】
【０００２】
消費者が自分の肌の色に合った正しい色を選択することを可能にする化粧用具が知られている。例えば、米国特許第５，１７８，１６９号は、複数の比較用領域に長手方向に分割された主面を有する可撓性のストリップを含む化粧品選択用具に関するものであり、それぞれの領域は、少なくとも１つの異なる色、隣りの領域とは異なる化粧品の色及び色調並びに対応する化粧品識別指標とによってマークされ、ストリップの両端は、正確な比較を行う目的で、ストリップを手で皮膚に接するように曲げて複数の隣り合う領域を皮膚に近接配置することができるよう、指による把持部をそれぞれ有している。このような化粧用具の別の例は、無色透明のシースルーストリップの表面に複数の色が印刷されたスキンカラー見本ツールに関する特開２００１−１１２５３８号に述べられている。
【０００３】
我々の研究によれば、多くの女性が正しい色の化粧品を選択する上で困難を感じていることが示された。より詳細には、多くの場合、女性は自分の皮膚の色と一致した色が容易に入手できるような場合であっても、皮膚の色と正確に一致していない色を選択してしまいがちであることを我々は発見した。我々はこの現象の主たる要因の１つは、多くの消費者が自分の皮膚の色を本来よりも明るい色として知覚する傾向を有している点にあると考える。図９のグラフは、２０２人の１８歳〜６５歳の白人の皮膚を有する女性で行った実験の結果を示したものである。白い背景の上に最も明るい色から最も暗い色へと連続的かつ一様に配置された、一般に白人型の皮膚と関連付けられる数種類の化粧品の色見本（グラフ中の色番号０１〜色番号０６）をそれぞれの被験者に与えた。それぞれの被験者に彼女の自然な皮膚に最も近い色を選択させた。図９のグラフに示されるように、被験者は一貫して彼女達の皮膚の自然な色よりも明るい色を有する見本（Ｌ値がより高い色）を選択した。明らかに、消費者の選択をより正確な暗い色の方向にシフトさせるツールは、化粧品の色を消費者の自然な皮膚の色と一致させる点で消費者の経験をより満足させることを容易にすることができる。
【０００４】
いずれの理論にも拘束されることを望むものではないが、我々は更に、人の色覚に影響する主要因の１つは、特に色が一連の別個の比較的小さな見本として与えられる場合、見本の周囲の色の選択にあると考えている。
【先行技術文献】
【特許文献】
【０００５】
【特許文献１】米国特許第５，１７８，１６９号
【特許文献２】特開２００１−１１２５３８号
【発明の概要】
【発明が解決しようとする課題】
【０００６】
したがって、本発明は、消費者自身の皮膚の色に対して示される化粧品の色見本を、消費者がより正確に知覚できるような背景に対して化粧品の色見本を見ることを可能とするように構成された新規な化粧品の色選択ツールの提供を目的とする。本発明は更に、消費者が正しい化粧品の色を選択することを支援するための方法であって、本発明の新規な化粧品の色選択ツールを消費者に与える工程を含む方法を提供することを目的とする。
【課題を解決するための手段】
【０００７】
本発明の化粧品色選択ツールは少なくとも１つの単色の黒色範囲と、複数の別個の見本領域とを有する。それぞれの見本領域は外周を有する単一の化粧品色からなる。見本領域のそれぞれの外周の少なくとも一部分は単色の黒色範囲と接する。
【０００８】
見本外周の単色の黒色範囲と接する部分は見本領域の外周全体の少なくとも２０％、少なくとも４０％、少なくとも６０％であるか、あるいは見本領域は単色の黒色範囲によって完全に包囲されることができる。
【０００９】
色選択ツールは様々な形で実施してよい。いくつかの非限定的な例としては、一本の材料のストリップ又は複数本の材料のストリップ、製品に固定的又は剥離可能に取り付けられた製品ラベル、ｉＰｏｄ（登録商標）画面、携帯電話（例えばブラックベリー（Blackberry）（登録商標））画面、及び他のあらゆる同様の電子機器の画面などのコンピュータ画面上の画像が挙げられる。色選択ツールは、印刷された使用説明書、チラシ、又は他のあらゆる広告材料の一部であってもよい。
【００１０】
色選択ツールは、例えばプラスチックシートなどの単一の要素からなってよく、あるいは、例えば複数の紙若しくはプラスチック製ストリップのような複数の要素、又は背景シートと複数の見本領域（又は１つの見本領域）をその上に有する透明シート（一枚又は複数）との組み合わせからなってよく、見本領域を有する透明シート又はその上の見本領域を背景シートと重ね合わせることができる。後述の実施形態では、２枚のシートは、一体的又は表面的に相互に連結されてもよく、あるいは物理的に互いに連結されていない２枚のシートからなってもよい。化粧品色選択ツールは人の顔又は身体の部分の外形に少なくとも部分的に一致するように設計された、材料の可撓性ストリップ又はシートを含んでよい。必要に応じて、色選択ツールは内部にミラーを有してよい。一実施形態では、ツールの一部は透明な範囲を有し、化粧品見本はツールの黒色単色範囲と透明範囲の両方に重ねられる。
【００１１】
別個の見本領域は、同じ表面積及び形状を有してよく、又はそれぞれの面積及び形状の少なくとも一方において異なっていてもよい。必ずしもそうであるとは限らないが、通常は別個の見本領域は不規則ではないパターンで、最も明るい色の見本から最も暗い色の見本へと連続的に配置される。
【００１２】
別個の見本領域は当業者には周知の任意の手段によってツールの表面に固着された実際の化粧品を有するように構成してよい。これに代えるか又はこれに加えて、見本領域を当業者には周知の任意の手段によってツールの表面に印刷してよい。見本領域の少なくとも一部が印刷され、かつ実際の化粧品を有するような実施形態が考えられる。
【００１３】
別の実施形態では、別個の見本領域は領域内に印刷されるかあるいは配置された色識別指標を有してよい。また、色識別指標は見本領域に近接して配置できる。色識別指標は単色の黒、又は他の任意の好適な色であることができる。
【００１４】
消費者が正しい化粧品の色を選択することを支援するための本発明の１つの方法は、少なくとも１つの単色の黒色範囲と、外周を有する単一の化粧品の色をそれぞれが含む複数の別個の見本領域とを有する化粧品の色選択ツールを消費者に提供する工程を含み、見本領域のそれぞれの外周の少なくとも一部分は単色の黒色範囲と接する。本方法は、消費者に化粧品の色選択ツールの複数の別個の見本領域を消費者のターゲット範囲と比較させる工程を更に含んでよい。ターゲット範囲は、消費者の皮膚、毛髪、爪、目、及び唇からなる群から選択できる。
【図面の簡単な説明】
【００１５】
【図１】本発明の色選択ツールの一実施形態を示す概略平面図。
【図２】本発明の色選択ツールの別の実施形態を示す概略平面図。
【図３】本発明の色選択ツールの更なる別の実施形態を示す概略平面図。
【図４】例として化粧品の製品上に配置された状態を示す、本発明の色選択ツールの一実施形態の概略平面図。
【図５】例として化粧品の製品上に配置された状態を示す、本発明の色選択ツールの別の実施形態の概略平面図。
【図６】複数のストリップを有する本発明の色選択ツールの一実施形態を示す概略平面図。
【図７】背景シートと、背景シートに重ね合わされた、複数の見本領域を有する透明シートとの組み合わせを有する本発明の色選択ツールの一実施形態を示す概略斜視図。
【図８】コンピュータ画面上に示された本発明の色選択ツールの一実施形態の概略斜視図。
【図９】本発明の色選択ツールを使用せずに行った色選択実験の結果を示すグラフ。
【図１０】一方が白色の背景を有し、他方が黒色の背景を有する本発明の色選択ツールの一実施形態を有し、更にそれぞれが複数の化粧品の色見本を有する２枚の試験用パレットと、これら２枚のパレットを用いた色選択実験の結果を示すグラフとを示した図。
【図１１】図１０で白と黒で示される２枚のパレットが図１１ではカラーで示されている以外は図１０と同様。
【発明を実施するための形態】
【００１６】
ここで色について述べる場合にはすべて視覚的に知覚できる色であるものとし、いずれも当業者には周知であるハンター（Hunter）Ｌ、ａ、ｂカラースケール又はＣＩＥ  Ｌ*、ａ*、ｂ*カラースケールのいずれかに基づいたものであり、「色彩の知覚及び測定の基礎」（The Basics Of Color Perception and Measurement）バージョン１．４、ハンターラブ（HunterLab）、２００１年刊行（インターネット上、http://www.hunterlab.com/colorbasics_shows.phpで見ることができる）に見ることができ、参照により本発明に組み込む。
【００１７】
本明細書で用いる以下の用語は下記の意味を有するものである。
【００１８】
「輝度値」（「Ｌ」）は、輝度値が０である「純黒色」から輝度値が１００である「純白色」までのスケールで定義される。
【００１９】
「彩度値」（「Ｃ」）は色空間の中心から測定された色までのベクトル距離である。すなわち、彩度値は色の飽和度又は強度を指定するためのものであり、色の強度を鮮明さ（すなわち鮮やかさ対くすみ度合）と区別するものである。色の彩度が低いほど、すなわちその強度が低いほど、その色はいわゆる「中間色」に近いものとなる。純色（赤、緑、青）の彩度値が１００を上回るのに対して灰色の彩度値は０に近い。
【００２０】
「黒色」とは、光源がＤ６５であり、１０°で観測者が観測した場合の輝度値が約４０未満でかつ彩度値が約６０未満、より詳細にはＬが約３０未満でかつＣが約３０未満、更により詳細にはＬが約２０未満でかつＣが約３０未満、更により詳細にはＬが約２０未満でかつＣが約１５未満である色を意味する。
【００２１】
「化粧品色」とは、顔料又は染料を含んでよく、化粧品に使用することができる色のことである。
【００２２】
「明るい」色及び「暗い」色、又は「最も明るい」色及び「最も暗い」色（及びこれらの任意の順列）とは、カラー化粧品のここでの文脈において、ある（「明るい」又は「より明るい」）色が通常の観測者によって他の（「暗い」又は「より暗い」）色よりも明るいものとして知覚されることを示す相対的な用語である。必ずしもそうであるとは限らないが、通常は「明るい」又は「より明るい」色は「暗い」又は「より暗い」色の輝度値よりも高い輝度値を有し得る。例えば、彩度値及び／又は色相といった他の色特性が、「暗い」又は「より暗い」色に対して何が「明るい」又は「より明るい」色とみなされるかについての消費者の知覚に影響する場合がある。
【００２３】
「単色の」色とは人の眼に参照範囲の全体にわたって均一に分布しているように見える単一の色を意味する。
【００２４】
「ターゲット範囲」とは、これらに限定されないが、皮膚、毛髪、唇、爪、目、及び歯などの、正しい化粧品の色を選択する目的で本発明の色選択ツールの見本領域と比較することが可能な消費者の身体の部分である。
【００２５】
本発明の化粧品の色選択ツール、又は単に「ツール」１００は、図１及び２に示されるように少なくとも１つの単色の黒色範囲１１０と、複数の別個の見本領域１２０とを有する。単一の化粧品の色を有するそれぞれの見本領域１２０（図１では、例として、１２１、１２２、１２３、１２４、１２５、１２６、１２７として示されている）はその外周「Ｐ」を有する。本発明によれば、それぞれの見本領域１２０の外周Ｐの少なくとも一部分は単色の黒色範囲１１０と接している。見本領域の外周Ｐの、単色の黒色範囲１１０と接する部分はその見本領域１２０の外周Ｐ全体の少なくとも２０％であってよい。別の実施形態では、図３に示されるように、外周Ｐのこのような部分は外周Ｐの少なくとも４０％であってよい。更に別の実施形態では、図２に示されるように、外周Ｐのこのような部分は見本領域１２０の外周全体の少なくとも６０％であってよい。最後に、図１に示されるように、見本領域１２０の外周Ｐの１００％が単色の黒色範囲１１０と接していてよい。最後の場合では、別個の見本領域１２０は単色の黒色範囲１１０によって完全に包囲されている。
【００２６】
図２及び３は、ツール１００の一部分が透明な範囲１３０からなる色選択ツール１００の実施形態を示したものである。このような実施形態では、個々の見本領域１２０の外周Ｐが黒色単色範囲１１０及び透明範囲１３０の両方と接するように見本領域１２０を配置することができる。別の言い方をすれば、見本領域１２０はツール１００の黒色単色範囲１１０及び透明範囲１３０の両方と重なっていてよい。
【００２７】
見本領域１２０は、例えば、長方形（図１）、三角形（図示せず）、楕円形（図２）、円形（図３）、これらの組み合わせ（図３）のような任意の好適な形状及び表面積を有してよく、幾何学的に不規則な形状（図示せず）を有してもよい。見本領域１２０は同じ表面積及び形状を有してよく、それぞれの面積及び形状の少なくとも一方において異なってもよい。例えば、図１及び２はそれぞれ、表面積が同じ見本領域１２０を有する色選択ツール１００の一実施形態を示している。一様であることの利便性及び美的観点を別にして、見本領域１２０の形状が同じであっても、消費者の色の選択は見本領域の形状によって影響されないものと考えられる。また、図３は異なる形状１２０ａ、１２０ｂを有する見本領域１２０を有するツール１００の実施形態を示している。
【００２８】
図１〜８に示すように、見本領域１２０が不規則ではないパターンに配置されるようにツール１００を構成することが有利であり得る（必ずしもそうではない）。見本領域１２０を、最も明るい色の見本領域から最も暗い色の見本領域へと連続的に配置することも有利であり得る。このような構成は消費者の正しい色の選択を促すと考えられる。複数の見本領域１２０のパターンは、美観的に好ましい連続形態、又は技術的に規定される連続形態、又は両者の組み合わせとして配置することができる。
【００２９】
当業者であれば、見本領域１２０はツールに固着された実際の化粧品又は／及び色の表示を含むことが理解されるであろう。前者の場合、化粧品は当該技術分野では周知の任意の手段によって固着することができる。例えば、ケイメン（Kamen）らによる１９９２年９月２９日発行の米国特許第５，１５０，７９１号によって教示されるように、例えば、熱可塑性材料などの透明材料内に化粧品材料の見本を封入することができ、その開示を参照として本発明に組み込む。
【００３０】
これに代えるか又はこれに加えて、見本領域１２０を当該技術分野では周知の任意の手段によってツールの表面に印刷してよい。印刷された表示及び実際の化粧品の両方によって見本領域１２０を形成することが可能な実施形態も考えられる。例えば、予め印刷された領域の上に化粧品を付着させて固着することができる。最後に、見本領域１２０の一部を印刷し、残りを化粧品で形成してもよい。
【００３１】
本発明の色選択ツール１００は、色の名前、記号、又は他の任意の表記を含むと共に、図２（指標Ａ、Ｂ、Ｃ、Ｄ、及びＥ）及び図６（指標Ａ）に概略的に示されるように見本領域１２０内に印刷又は配置されて、見本領域１２０の特定の色を識別することが可能な色識別指標を個々の見本領域１２０に対して含んでよい。また、色識別指標はツールのいずれかの側に見本領域１２０に近接して配置してよい（図示せず）。色識別指標は単色の黒、又は他の任意の好適な色で示すことができる。
【００３２】
本発明の色選択ツールの使用は、スキンケア化粧品（フェイスファンデーション、フェイス／ボディークリーム、ボディーローション、サンローションなど）を選択する上で特に有用であると考えられるが、ツール１００は、例えば、ヘアケア製品（シャンプー、コンディショナー、毛染めなど）、リップカラー製品（リップスティック、リップグロス、リップバームなど）、アイ製品（アイカラー、マスカラなど）、及びネイル（マニキュア液）などの広範な化粧品の色を選択する目的で使用することができる。
【００３３】
適用される分野に応じて本発明の色選択ツール１００は様々な身体に対する実施形態を有してよい。例えば、ツール１００は図１及び図２に概略的に示されるように、別に包装された化粧品と物理的に関連付けられない一本の材料ストリップからなるものでよい。ツール１００は、印刷された使用説明書、チラシ、又は他のあらゆる広告材料の一部であってもよい（図示せず）。化粧品の色選択ツール１００がターゲット範囲の外形に少なくとも部分的に一致するように設計された、材料の可撓性ストリップ又はシートを含む実施形態が考えられる。本発明のツール１００の他の実施形態では、製品に固定的又は剥離可能に取り付けられた、黒色の単色背景１１０を有する製品ラベル１１５（図４及び５）を含む。必要に応じて、ツール１００は、消費者がターゲット範囲（例えば、顔）を１つ以上の見本領域１２０と共に見ることができるようにミラーなどの反射面を内部に有してよい。
【００３４】
本発明のツール１００は、図８に示されるように、本発明に基づいた単色の黒色背景１１０に重ねられた化粧品の色見本１２０を示すコンピュータ３００のコンピュータ画面３５０上の画像からなることができる。カラー画面を有する携帯電話、ｉＰｏｄ（登録商標）、ブラックベリー（BlackBerry）（登録商標）、及び好適な画面を有する他の同様の機器などの機器がすべて本発明の範囲に含まれる。
【００３５】
ツール１００は、図１及び２に示されるように、例えばプラスチックシートのような単一の物理的要素からなってよい。あるいは、ツール１００は、図６に示されるように、互いに緩く連結されることによって使用者が１つ以上の見本領域１２０を同時に選択してそれらをターゲット範囲と比較できるような複数の紙又はプラスチック製ストリップからなってよい。図７は、見本領域１２０を有する透明シート１４０を黒色の背景シート１５０に重ね合わせることができるように、黒色の単色背景シート１５０と、見本領域１２０を有する透明シート１４０との組み合わせを有するツール１００の別の実施形態を示したものである。黒色の背景シート１５０及び透明シート１４０は、図７では互いに物理的に連結されていない２枚の別々のシートとして示されているが、２枚のシート１４０、１５０が一体的かつ／又は固定的又は表面的かつ／又は一時的に連結されている実施形態も考えられる。後者の実施形態は当業者の知識範囲に完全に含まれるものであり、したがってここでは示さない。
【００３６】
図１０に示すグラフは、色の背景に基づいた人による化粧品の色の知覚を比較するように設計された実験の結果を例示したものである。この実験では、最も明るい化粧品の色（図１０の最も左側）から最も暗い化粧品の色（図１０の最も右側）へと連続的かつ一様に配置された１４個の化粧品の同じ色見本領域４４０（個々の色を４４１〜４５４へと順番に指定してある）をそれぞれが有する２枚のパレット４１０、４２０を被験者に与えた。第１のパレット４１０は単色の白色背景を有し、第２のパレット４２０は単色の黒色背景を有した。色の範囲４４１〜４４４は、一般的に明るい白人型の皮膚と関連付けられる化粧品の色を表し、この範囲では、色４４１が最も明るい色であり、色４４４が最も暗い色であった。見本の範囲４４７〜４５４は、一般的に暗い黒人型の皮膚と関連付けられる化粧品の色を表し、この範囲では、色４４７が最も明るい色であり、色４５４が最も暗い色であった。「中間色」４４５及び４４６は特定の個人の皮膚の色合いに応じて上記の群のいずれにも属し得た。
【００３７】
図１０の「背景色の変化による影響」のグラフが示すように、明色４４１〜４４４に関しては、より大きな割合の白人型の皮膚の被験者が、白色背景のパレット４１０よりも黒色背景のパレット４２０からより明るい見本を選択した。これは、少なくとも明るい色の皮膚に関しては、平均的な消費者は白色背景のパレット４１０上に配置された化粧品の色の範囲を与えられた場合に相対的により明るい色を選ぶ傾向があるという発明者等の仮説を実証するものである。この結果は、本明細書中の「背景技術」の項で述べた、図９のグラフに示される我々による過去の実験の結果と相関している。このことはまた、少なくとも白人型の皮膚の消費者に関する限り、消費者が黒色背景のパレット４２０上に配置された色の範囲を与えられた場合に、より暗い、より正しい化粧品の色の方向へと消費者の知覚が好ましくシフトすることを示す。
【００３８】
したがって、消費者が正しい化粧品の色を選択することを支援するための方法は、黒色の単色背景１１０と、複数の見本領域１２０とを有する本発明の化粧品の色選択ツール１００を消費者に与える工程を含むことができる。これにより消費者はツール１００の複数の見本領域１２０をターゲット範囲と比較して化粧品の色に関してより正確な選択を行うことができる。ターゲット範囲は、消費者の皮膚、毛髪、爪、目、及び唇からなる群から選択できる。ツール１００はミラーを備えると便宜がよい。
【００３９】
本明細書に開示される寸法及び値は、記載される正確な数値に厳密に限定されるものとして理解されるべきではない。逆に、特に断らない限りこのような寸法はいずれも記載される値とその値周辺の機能的に同等の範囲の両方を意味するものである。例えば「４０ｍｍ」として開示した寸法は「約４０ｍｍ」を意味するものである。
【００４０】
相互参照した若しくは関連する特許又は特許出願を含む本明細書に引用した文献はすべて、明らかに除外又は限定されていない限りは、その全容を本明細書中に引用する。いずれの文献の引用も、当該文献が本明細書に開示又は請求されるいずれの発明に対しても先行技術であることを容認するものではなく、当該文献が単独で又は他のあらゆる参照文献とのあらゆる組み合わせにおいて、このような発明のいずれをも教示、示唆、又は開示することを容認するものでもない。更に、本文書における用語のいずれかの意味又は定義が、引用された文献における同一の用語のいずれかの意味又は定義と相反する限り、本文書においてその用語に与えられる定義又は意味が優先するものとする。
【００４１】
以上、本発明の特定の実施形態を図示、記載してきたが、本発明の趣旨及び範囲から逸脱することなく他の様々な変更及び改変を行うことが可能である点は当業者には明らかであろう。したがって本発明の範囲に含まれるこのような変更及び改変はすべて添付の特許請求の範囲で網羅するものとする。
【図１】
2010523254.tif 000003
【図２】
2010523254.tif 000004
【図３】
2010523254.tif 000005
【図４】
2010523254.tif 000006
【図５】
2010523254.tif 000007
【図６】
2010523254.tif 000008
【図７】
2010523254.tif 000009
【図８】
2010523254.tif 000010
【図９】
2010523254.tif 000011
【図１０】
2010523254.tif 000012
【図１１】
2010523254.tif 000013
【国際調査報告】
2010523254.tif 000014
2010523254.tif 000015